【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
透過型表示部を背面から照明する直下型の面光源装置であって、
複数の光源が離散的に配列された光源部と、
前記光源部の出射側に設けられ、前記光源から出射した光を拡散して均一化する拡散シートと、
を備え、
前記拡散シートは、
該面光源装置に用いられる光学部材のうち最も前記光源部側に設けられ、
少なくとも出射側に、光を拡散して出射する拡散レンズアレイが形成されており、
前記拡散レンズアレイを形成する単位レンズは、長軸がシート面に対して直交する連続する楕円筒の一部であり、
前記単位レンズの短半径に対するピッチの比（ピッチ／短半径）は、０．５〜１．８の範囲内であり、
前記単位レンズの配列方向と前記光源部の複数の前記光源の配列方向とは、平行であり、
前記単位レンズの前記配列方向における幅をＷ、高さをＨ、屈折率をＮとしたときに、
ａｒｃｓｉｎ（１／Ｎ）＜ａｒｃｔａｎ（１／（（２Ｈ／Ｗ）−０．１））
を満足し、
前記単位レンズの配列方向及び該面光源装置の厚み方向に平行な断面において、前記光源が前記単位レンズの配列方向に沿って離散的に配列されており、
前記単位レンズに光強度の指向性を有する光が入射するものであって、前記光強度の指向性は、前記複数の光源の位置関係によって発生するものであること、
を特徴とする面光源装置。
【請求項２】
請求項１に記載の面光源装置において、
前記光強度の指向性を有する光の半値角が７０度以内であること、
を特徴とする面光源装置。
【請求項３】
請求項２に記載の面光源装置において、
前記拡散シートは、入射側に光を拡散する作用を有した微細凹凸形状を有し、
前記微細凹凸形状は、１／２拡散角が７０度以内の無指向性の光拡散作用を有すること、
を特徴とする面光源装置。
【請求項４】
請求項２に記載の面光源装置において、
前記拡散シートは、少なくとも一部に光拡散微粒子を含み、
前記光拡散微粒子は、１／２拡散角が７０度以内の無指向性の光拡散作用を有すること、
を特徴とする面光源装置。
【請求項５】
請求項１から請求項４までのいずれか１項に記載の面光源装置において、
前記単位レンズの長半径は、短半径の１．５倍から３倍の長さであること、
を特徴とする面光源装置。
【請求項６】
請求項１から請求項５までのいずれか１項に記載の面光源装置において、
前記拡散レンズアレイを形成する単位レンズの間には、平坦形状、凹形状、微細凹凸形状のいずれかが形成されていること、
を特徴とする面光源装置。
【請求項７】
請求項１から請求項６までのいずれか１項に記載の面光源装置において、
前記拡散シートは、２層以上の異なる層を有しており、入射側の層の吸湿率は、出射側の層の吸湿率よりも高いこと、
を特徴とする面光源装置。
【請求項８】
請求項１から請求項７までのいずれか１項に記載の面光源装置において、
前記拡散シートの前記拡散レンズアレイは、連続する一種類又は複数種類の楕円筒の一部である単位レンズを有し、
前記拡散シートと同一又は異なる種類の拡散シートが前記拡散シートよりも出射側に少なくとも１枚配置されていること、
を特徴とする面光源装置。
【請求項９】
請求項８に記載の面光源装置において、
前記拡散シートは、少なくとも１組が拡散レンズアレイによる光拡散作用の方向が直交するように配置されていること、
を特徴とする面光源装置。
【請求項１０】
透過型表示部と、
請求項１から請求項９までのいずれか１項に記載の面光源装置と、
を備える透過型表示装置。
【手続補正２】
【補正対象書類名】明細書
【補正対象項目名】０００７
【補正方法】変更
【補正の内容】
【０００７】
本発明は、以下のような解決手段により、前記課題を解決する。なお、理解を容易にするために、本発明の実施例に対応する符号を付して説明するが、これに限定されるものではない。
請求項１の発明は、透過型表示部（１１）を背面から照明する直下型の面光源装置であって、複数の光源（１３）が離散的に配列された光源部と、前記光源部の出射側に設けられ、前記光源から出射した光を拡散して均一化する拡散シートと、を備え、前記拡散シートは、該面光源装置に用いられる光学部材のうち最も前記光源部側に設けられ、少なくとも出射側に、光を拡散して出射する拡散レンズアレイ（２４１）が形成されており、前記拡散レンズアレイを形成する単位レンズは、長軸がシート面に対して直交する連続する楕円筒の一部であり、前記単位レンズの短半径に対するピッチの比（ピッチ／短半径）は、０．５〜１．８の範囲内であり、前記単位レンズの配列方向と前記光源部の複数の前記光源の配列方向とは、平行であり、前記単位レンズの前記配列方向における幅をＷ、高さをＨ、屈折率をＮとしたときに、ａｒｃｓｉｎ（１／Ｎ）＜ａｒｃｔａｎ（１／（（２Ｈ／Ｗ）−０．１））を満足し、前記単位レンズの配列方向及び該面光源装置の厚み方向に平行な断面において、前記光源が前記単位レンズの配列方向に沿って離散的に配列されており、前記単位レンズに光強度の指向性を有する光が入射するものであって、前記光強度の指向性は、前記複数の光源の位置関係によって発生するものであること、を特徴とする面光源装置である。
【手続補正３】
【補正対象書類名】明細書
【補正対象項目名】０００８
【補正方法】変更
【補正の内容】
【０００８】
請求項２の発明は、請求項１に記載の面光源装置において、前記光強度の指向性を有する光の半値角が７０度以内であること、を特徴とする面光源装置である。
請求項３の発明は、請求項２に記載の面光源装置において、前記拡散シートは、入射側に光を拡散する作用を有した微細凹凸形状を有し、前記微細凹凸形状は、１／２拡散角が７０度以内の無指向性の光拡散作用を有すること、を特徴とする面光源装置である。
請求項４の発明は、請求項２に記載の面光源装置において、前記拡散シートは、少なくとも一部に光拡散微粒子を含み、前記光拡散微粒子は、１／２拡散角が７０度以内の無指向性の光拡散作用を有すること、を特徴とする面光源装置である。
請求項５の発明は、請求項１から請求項４までのいずれか１項に記載の面光源装置において、前記単位レンズの長半径（０．１２ｍｍ）は、短半径（０．０６ｍｍ）の１．５倍から３倍の長さであること、を特徴とする面光源装置である。
請求項６の発明は、請求項１から請求項５までのいずれか１項に記載の面光源装置において、前記拡散レンズアレイを形成する単位レンズの間には、平坦形状、凹形状（２４２）、微細凹凸形状のいずれかが形成されていること、を特徴とする面光源装置である。
請求項７の発明は、請求項１から請求項６までのいずれか１項に記載の面光源装置において、前記拡散シートは、２層以上の異なる層を有しており、入射側の層の吸湿率は、出射側の層の吸湿率よりも高いこと、を特徴とする面光源装置である。
【手続補正４】
【補正対象書類名】明細書
【補正対象項目名】０００９
【補正方法】変更
【補正の内容】
【０００９】
請求項８の発明は、請求項１から請求項７までのいずれか１項に記載の面光源装置において、前記拡散シートの前記拡散レンズアレイは、連続する一種類又は複数種類の楕円筒の一部である単位レンズを有し、前記拡散シートと同一又は異なる種類の拡散シートが前記拡散シートよりも出射側に少なくとも１枚配置されていること、を特徴とする面光源装置である。
請求項９の発明は、請求項８に記載の面光源装置において、前記拡散シート（４４−１，４４−２）は、少なくとも１組が拡散レンズアレイ（４４４−１，４４４−２）による光拡散作用の方向が直交するように配置されていること、を特徴とする面光源装置である。
請求項１０の発明は、透過型表示部（１１）と、請求項１から請求項９までのいずれか１項に記載の面光源装置（１２，１３，１４，１５）と、を備える透過型表示装置である。
【手続補正５】
【補正対象書類名】明細書
【補正対象項目名】００１１
【補正方法】変更
【補正の内容】
【００１１】
（２）拡散レンズアレイを形成する単位レンズは、長軸がシート面に対して直交する連続する楕円筒の一部であるので、円筒面又は球面に比べて、拡散特性を任意に制御することができる。
【手続補正６】
【補正対象書類名】明細書
【補正対象項目名】００１９
【補正方法】変更
【補正の内容】
【００１９】
（１０）拡散シートと同一又は異なる種類の拡散シートが拡散シートよりも出射側に少なくとも１枚配置されているので、より高い拡散特性及び均一化の効果を与えることができる。